(57)【要約】【課題】軒樋止まりとけらば部材の軒樋側の側面との間の隙間から流水が流下し難く、流水が軒樋に流入し易くすることができる屋根構造を提供する。【解決手段】屋根５と、軒樋４と、屋根５の軒側先端より軒側に突出しているけらば部材３と、軒樋４のけらば部材３側の端部に接続され、軒樋４のけらば部材３側の端部を閉塞する閉塞部２１を有する軒樋止まり２と、軒樋止まり２とけらば部材３の軒樋４側の側面との間に形成される隙間と、を備える屋根構造であって、屋根５から流下し隙間に流れ落ちる流水を受け、軒樋４に流水を流入させる流水受け部１を備えることを特徴とする。【選択図】図１
2014134053.tif 000002
【特許請求の範囲】
【請求項１】
屋根と、軒樋と、前記屋根の軒側先端より軒側に突出しているけらば部材と、前記軒樋の前記けらば部材側の端部に接続され、前記軒樋の前記けらば部材側の端部を閉塞する閉塞部を有する軒樋止まりと、前記軒樋止まりと前記けらば部材の前記軒樋側の側面との間に形成される隙間と、を備える屋根構造であって、前記屋根から流下し前記隙間に流れ落ちる流水を受け、前記軒樋に流水を流入させる流水受け部を備えることを特徴とする屋根構造。
【請求項２】
前記流水受け部は前記軒樋止まりの前記閉塞部に備えられることを特徴とする請求項１記載の屋根構造。
【請求項３】
前記屋根は、下方に開口し上方に突出する凸部と上方に開口し下方に凹む凹部とが軒に沿う方向に交互に形成された凹凸屋根材を備え、前記隙間に臨む前記凹凸屋根材の部分は前記凹部になることを特徴とする請求項１又は請求項２記載の屋根構造。
【発明の詳細な説明】
【技術分野】
【０００１】
本発明は、屋根構造に関するものである。
【背景技術】
【０００２】
従来から、軒樋のけらば部材側の端部を閉塞するために軒樋止まりが取付けられるものが知られている（例えば特許文献１参照）。
【先行技術文献】
【特許文献】
【０００３】
【特許文献１】特開２００４−２５７０９０号公報
【発明の概要】
【発明が解決しようとする課題】
【０００４】
ところで、特許文献１に記載されている発明では、軒樋止まりとけらば部材の軒樋側の側面との間に隙間が設けられていた。この隙間は、軒樋が熱伸縮をするため、軒樋止まりとけらば部材とが接触してしまうことを防ぐために設けられている。
【０００５】
しかしながら、隙間が設けられているため、この隙間部分に向かって屋根から流下する流水は軒樋に流すことができない。
【０００６】
本発明は上記従来の問題点に鑑みて発明したものであって、その目的とするところは、軒樋止まりとけらば部材の軒樋側の側面との間の隙間から流水が流下し難く、流水が軒樋に流入し易い屋根構造を提供することを課題とするものである。
【課題を解決するための手段】
【０００７】
上記課題を解決するために、本発明は、以下のような構成とする。
【０００８】
屋根と、軒樋と、前記屋根の軒側先端より軒側に突出しているけらば部材と、前記軒樋の前記けらば部材側の端部に接続され、前記軒樋の前記けらば部材側の端部を閉塞する閉塞部を有する軒樋止まりと、前記軒樋止まりと前記けらば部材の前記軒樋側の側面との間に形成される隙間と、を備える屋根構造であって、前記屋根から流下し前記隙間に流れ落ちる流水を受け、前記軒樋に流水を流入させる流水受け部を備えることを特徴とする。
【０００９】
また、前記流水受け部は前記軒樋止まりの前記閉塞部に備えられることが好ましい。
【００１０】
また、前記屋根は、下方に開口し上方に突出する凸部と上方に開口し下方に凹む凹部とが軒に沿う方向に交互に形成された凹凸屋根材を備え、前記隙間に臨む前記凹凸屋根材の部分は前記凹部になることが好ましい。
【発明の効果】
【００１１】
本発明の屋根構造は、軒樋止まりとけらば部材の軒樋側の側面との間の隙間から流水が流下し難く、流水が軒樋に流入し易くすることができる。
【図面の簡単な説明】
【００１２】
【図１】本実施形態の屋根構造の斜視図である。
【図２】（ａ）は、本実施形態の軒樋止まりに止まりカバーを取付けていない状態の分解斜視図であり、（ｂ）は本実施形態の軒樋止まりに止まりカバーを取付けた状態の斜視図である。
【図３】本実施形態の連結具の断面図である。
【発明を実施するための形態】
【００１３】
以下、本発明を添付図面に示す実施形態に基いて説明する。
【００１４】
本実施形態の屋根構造は、屋根５と、軒樋４と、軒樋止まり２と、けらば部材３と、を備えている。
【００１５】
家屋の屋根下地は、垂木に野地板７を設けることで形成されている。野地板７は棟側から軒側に向かって一様な角度で傾斜している。
【００１６】
野地板７の上には連結具６が平面視で軒方向に所定の間隔を介して複数配置されている。各連結具６は野地板７の軒棟方向の略全長に亘っている。各連結具６はボルト等の固着具を用いて野地板７に固定されている。図３に示すように、各連結具６の軒方向の両側の上部には掛止部６１が形成されている。また、野地板７には凹凸屋根材５１が軒方向に複数並べて載置されている。
【００１７】
本実施形態の各凹凸屋根材５１は鋼板製である。なお、各凹凸屋根材５１は鋼板以外の金属板で形成してもよく、また、その材質は金属に限定されるものではない。凹凸屋根材５１は、下方に開口し上方に突出する凸部５１ａと、上方に開口し下方に凹む凹部５１ｂを有している。凸部５１ａと凹部５１ｂは軒方向に交互に複数形成されている。各凸部５１ａの側片部５１ｃは隣接する凹部５１ｂの側片部５１ｃを兼ねている。
【００１８】
各凹凸屋根材５１の軒方向の端部には、凹部５１ｂが形成されている。その凹部５１ｂの隣の凹凸屋根材５１側の側片部５１ｃの上部には被掛止部５１ｄが形成されている。連結具６は隣り合う凹凸屋根材５１の間に配置されている。各凹凸屋根材５１の被掛止部５１ｄは対応する連結具６の掛止部６１に掛止されている。これにより、各凹凸屋根材５１は連結具６に固定されている。すなわち、各凹凸屋根材５１は連結具６を介して野地板７に固定されている。なお、凹凸屋根材５１の野地板７への固定方法は、連結具６を用いるものに限られず、釘等の固定具を用いた固定方法もあり、限定されない。
【００１９】
けらば部材３は、切妻屋根などの屋根５の妻側端部に設けられる部材である。けらば部材３には、上記した凹凸屋根材５１の軒方向の端部を差込むことができる差込凹部３１が設けられている。差込凹部３１は、軒棟方向の略全長に亘って設けられており、凹凸屋根材５１の軒方向の端部が差込まれている。本実施形態では、差込凹部３１の軒棟方向の長さは、凹凸屋根材５１の軒棟方向の長さよりも長く形成されている。なお、差込凹部３１の軒棟方向の長さは、特に限定されない。
【００２０】
軒樋４は、複数本の軒樋４を軒樋継手により繋いでいたり、一本の軒樋４で形成されるものであり、屋根５から流れ落ちてきた流水が軒樋４を流れるように、軒樋４の端部から集水器へ近づく程下方に位置するように傾斜している。
【００２１】
軒樋４は、本実施形態では上方に開口する略コ字状の断面形状となっているが、断面形状が半円状となっていてもよい。軒樋４は、硬質塩化ビニル樹脂などを用いて成形されたものであるが、材質は特に限定されない。ここで、家屋側（棟側）を後方向、家屋側とは反対側（軒側）を前方向とする。
【００２２】
軒樋４は、軒樋４の前側に設けられる前板部４１と、軒樋４の後側に設けられる後板部４２と、前板部４１の下端と後板部４２の下端とを連設している底板部と、で形成されている。底板部と前板部４１とが屋根５から落ちてくる流水を受けるために、鈍角をなしていてもよいが、特に限定されるものではない。また、底板部と後板部４２とが略直角をなしていてもよいが、特に限定されるものではない。各々の角度や形状は特に限定されない。
【００２３】
前板部４１の上端部には、軒樋４の長手方向に視たときの断面形状が略矩形状となっている前板耳部４１ａが設けられている。なお、前板耳部４１ａの形状は上記した形状に限定されない。
【００２４】
後板部４２の上端部には、軒樋４の長手方向に視たときの断面形状が略矩形状となっている後板耳部４２ａが設けられている。なお、後板耳部４２ａの形状は上記した形状に限定されない。
【００２５】
上述した軒樋４を家屋に固定するために軒樋吊具が用いられている。軒樋吊具は図示しないが、軒樋４を支持するために設けられる支持部と、支持部を鼻板に取付ける鼻板固定部と、を備えている。軒樋吊具は、合成樹脂で一体成形されるが、材質や製法は特に限定されない。
【００２６】
軒樋止まり２は、軒樋４のけらば部材３側の端部に接続され、軒樋４のけらば部材３側の端部を閉塞する閉塞部２１を有しており、軒樋止まり２には軒樋４の中に挿入される挿入部２２が備えられている。そして、本実施形態では、軒樋４に対して軒樋止まり２が内嵌めの関係になっており、軒樋４のけらば部材３側の端部の内部に挿入部２２が挿入される。
【００２７】
挿入部２２は、軒樋４を軒樋４の長手方向に視たときの形状と同様であり、且つその形状よりも若干小さなものとなっている。挿入部２２は、閉塞部２１と一体成形されてもよく、また閉塞部２１と別体に形成し接着されてもよい。
【００２８】
挿入部２２の前板部２２ａの上端部は前板耳部４１ａを被覆する前板耳部被覆部２２ｂとなっている。挿入部２２の前板部２２ａは、前板耳部被覆部２２ｂの下端から下方へ行く程後方向に位置するように滑らかに傾斜している。
【００２９】
挿入部２２の後板部２２ｃは、上述した前板耳部被覆部２２ｂのように後板耳部４２ａを被覆しないものである。挿入部２２の後板部２２ｃは、後板耳部４２ａの下片の後端と当接し、その当接部分から下方へ略垂直に軒樋４の後板に沿って突出している。
【００３０】
挿入部２２の底板部２２ｄは、挿入部２２の前板部２２ａの下端と挿入部２２の後板部２２ｃの下端とを連設している。
【００３１】
なお、挿入部２２は、本実施形態では上記のような形状であるが、その形状は上記した形状に限定されない。また、軒樋止まり２と軒樋４との関係は、内嵌めに限らず外嵌めになっていてもよく、特に限定されない。また、挿入部２２を無くし、閉塞部２１と軒樋４のけらば部材３側の端部を接着剤等で接続してもよい。
【００３２】
閉塞部２１は、軒樋４のけらば部材３側の端部を閉塞する。そして、本実施形態の閉塞部２１は切欠２１ａを有しているが、切欠２１ａは設けられなくてもよい。
【００３３】
閉塞部２１（切欠２１ａが設けられた部分を含む）の形状は、軒樋４を軒樋４の長手方向に視たときの形状に略同様であり、且つその形状よりも若干大きなものとなっている。
【００３４】
切欠２１ａは、閉塞部２１の後端部と上端部とで形成される隅部に設けられ、略矩形状となっている。なお、切欠２１ａが設けられる場所や形状は特に限定されない。
【００３５】
閉塞部２１には、止まりカバー２３を閉塞部２１に取付けるための嵌合凸部２１ｂが、閉塞部２１のけらば側とは反対側の面で、切欠２１ａの下方に二箇所設けられている。本実施形態では、嵌合凸部２１ｂは円柱状であるが、形状は特に限定されない。また、嵌合凸部２１ｂの設けられる場所や数は、特に限定されない。
【００３６】
閉塞部２１には、本実施形態では切欠２１ａに止まりカバー２３が取付けられる。止まりカバー２３については後述する。
【００３７】
止まりカバー２３は、閉塞部２１の切欠２１ａと略同様の形状をしている基台部２３ａと、基台部２３ａから突設され閉塞部２１のけらば側とは反対側の面と当接する固定部２３ｂと、で形成されている。基台部２３ａと固定部２３ｂとは、本実施形態では一体物であるが、別体として設けて接着剤等で接合してもよい。また、基台部２３ａのみで閉塞部２１に接合してもよく、固定部２３ｂは任意の構成である。
【００３８】
基台部２３ａの厚みは閉塞部２１の厚みよりも大きく形成されている。
【００３９】
固定部２３ｂは、基台部２３ａの下端部のけらば部材３側の端部と反対側の端部から下方向に略台形状に突設されている。固定部２３ｂの厚みは、基台部２３ａの厚みの長さから閉塞部２１の厚みの長さを引いたものとなっている。固定部２３ｂの厚みを上記の厚みにすることにより、基台部２３ａの下面と閉塞部２１の基台部２３ａの下面と当接する面とが当接し、基台部２３ａが位置決めされる。基台部２３ａが位置決めされることにより、止まりカバー２３を閉塞部２１に取付けた際、閉塞部２１の上端部と固定部２３ｂの上端部を面一にすることができる。なお、固定部２３ｂは本実施形態では上記のような形状と厚みとなっているが、その形状と厚みは特に限定されない。
【００４０】
止まりカバー２３の固定部２３ｂには閉塞部２１の嵌合凸部２１ｂと嵌合する嵌合孔２３ｃが二箇所設けられている。閉塞部２１と止まりカバー２３とは、嵌合孔２３ｃに嵌合凸部２１ｂを挿入し、嵌合させることにより取付けられる。なお、本実施形態では、止まりカバー２３に円形の嵌合孔２３ｃを設けているが、形状や数は限定されない。
【００４１】
本実施形態では、屋根５の軒側先端の下方に屋根５の軒先部分と重なるように流水受け部１が設けられている。なお、流水受け部１が設置される場所は限定されない。また、けらば部材３の軒樋４側の側面と軒樋止まり２との間に形成される隙間に流水受け部１が配設される。そして、流水受け部１は、屋根５から流下し隙間に流れ落ちる流水を受け、軒樋４に流水を流入させるために設けられている。ここで、隙間は、軒樋４の熱伸縮により、軒樋止まり２とけらば部材３とが接触してしまうことを防ぐために設けられている。本実施形態では、基台部２３ａの上端部の後端近傍に、流水受け部１が設けられる。なお、流水受け部１は、軒樋４のけらば部材３側の端部に設けられていもよいし、屋根５の前側端部のけらば部材３側の端部に設けられてもよく、設置される場所は特に限定されない。また、流水受け部１は止まりカバー２３の基台部２３ａと一体に形成されてもよいし、別体に形成し接着剤等で接合してもよい。
【００４２】
流水受け部１は、基台部２３ａの上端部からけらば部材３側に延設される導水底板部１１と、導水底板部１１の前端部に設けられる導水前板部１２と、導水底板部１１の後端部に設けられる導水後板部１３と、で形成されている。
【００４３】
導水底板部１１は、導水底板部１１の基台部２３ａ側の端部から導水底板部１１のけらば部材３側の端部に近づく程上方に位置するように傾斜している。この導水底板部１１の傾斜を伝って流水が流れ、軒樋４へ流水が流れていく。
【００４４】
導水前板部１２は、導水底板部１１の前端部から上方向に行く程前方向に位置するように傾斜している。これは、屋根５からの流水が導水前板部１２を伝って、流水が導水底板部１１へと流れていくように傾斜が設けられている。更に本実施形態では、導水前板部１２の高さは導水後板部１３の高さより高く設けられている。なお、導水前板部１２の高さは導水後板部１３の高さより高くなくてもよく、導水前板部１２の高さは屋根５から流れてくる流水を受け導水底板部１１へと流すことができる高さがあればよい。また、導水後板部１３は導水前板部１２から導水底板部１１へと屋根５からの流水が流れるのであれば無くてもよい。導水前板部１２に当たった流水は、導水前板部１２の傾斜に沿って下方に流下し、導水底板部１１へと流れ、導水底板部１１から軒樋４へと流れていく。
【００４５】
隙間に臨む凹凸屋根材５１の部分は、凹部５１ｂになっている。
【００４６】
本実施形態では、差込凹部３１の前端は凹凸屋根材５１の前端よりも前側に突出している。そのため、差込凹部３１は流水受け部１も差込むことができる。流水受け部１は、差込凹部３１に差込まれることにより、流水受け部１の熱伸縮を差込凹部３１の内部に収めることができる。なお、差込凹部３１に流水受け部１を差込む凹部が無くてもよい。その場合は隙間の軒方向の長さに合わせて、流水受け部１の軒方向の長さを、流水受け部１を切断することにより調整することが好ましい。
【００４７】
なお、けらば部材３に止まりカバー２３が干渉してしまうため、止まりカバー２３は閉塞部２１に取付けられない。それ以外のけらば部材３に止まりカバー２３が干渉しない場合は、閉塞部２１に止まりカバー２３は取付けなくてもよく、任意の構成となっている。
【００４８】
以上のような構成の屋根構造を設けることにより、軒樋止まり２とけらば部材３の軒樋４側の側面との間の隙間から流下しようとする流水が、軒樋４に流れ込み易くなる。
【符号の説明】
【００４９】
１    流水受け部
１１  導水底板部
１２  導水前板部
１３  導水後板部
２    軒樋止まり
３    けらば部材
４    軒樋
５    屋根
６    連結具
７    野地板
【図１】
2014134053.tif 000003
【図２】
2014134053.tif 000004
【図３】
2014134053.tif 000005